(57)【要約】【課題】かご室天井部の二重構造を不要とし、天井構造の簡素化によりかご室の軽量化を図ることができるエレベータのかご室を得る。また、かご室の天井板の外側上面がフラット化されたエレベータのかご室を得る。【解決手段】かご室側壁、かご室上面を覆う天井板及びかご室の床面となる床板から構成されたエレベータのかご室において、外側上面をフラット化された平坦面となした天井板と、この天井板の内側下面に設けられ山部上面を固着された波形板からなる補強部材と、この補強部材の谷部底面に多数形成された照明器具取付用穴と、この照明器具取付用穴を利用して天井板の下方に取り付けられた照明器具とを備える。【選択図】  図１
2004359381.tif 000002
【特許請求の範囲】
【請求項１】
かご室側壁、かご室上面を覆う天井板及びかご室の床面となる床板から構成されたエレベータのかご室において、外側上面をフラット化された平坦面となした天井板と、この天井板の内側下面に設けられ山部上面を固着された波形板からなる補強部材と、この補強部材の谷部底面に多数形成された照明器具取付用穴と、この照明器具取付用穴を利用して前記天井板の下方に取り付けられた照明器具とを備えたことを特徴とするエレベータのかご室。
【請求項２】
補強部材は、軽量の波形コルゲート板からなり、山部と谷部の高さ寸法を出来るだけ低く抑えたことを特徴とする請求項１記載のエレベータのかご室。
【請求項３】
天井板の内側下面と補強部材の山部上面を接着剤、ＰＯＰリベット、両面接着テープ等の簡易な接合手段により固着したことを特徴とする請求項１又は請求項２記載のエレベータのかご室。
【発明の詳細な説明】
【０００１】
【発明の属する技術分野】
この発明はエレベータのかご室の天井構造に関するものである。
【０００２】
【従来の技術】
エレベータ設置方法の省スペース化に伴い、昇降路頂部から最上階フロアまでの寸法（オーバーヘッド寸法）の制約上、エレベータかご室の高さを低くする必要があり、天井構造の簡素化やかご室の軽量化が必要であった。また、エレベータかご室は、かご上作業時の据付、保守作業の安全性を確保するため、かご室の天蓋面をフラットとする必要がある。
図３は従来のエレベータのかご室の天井構造を示す正面断面図である。この従来のかご室構造は、かご室の天井板２の上面にはフラット化用部材９を別途取り付けた二重構造であった。
また、他の従来の技術として、かご室の天井を覆う天蓋を形鋼などによって補強する構造のエレベータにおいて、天蓋の下面に接して補強部材を溶接等により接合したかご室がある（例えば、特許文献１参照）。
【０００３】
【特許文献１】
特開平３−８６８７号公報
【０００４】
【発明が解決しようとする課題】
上記従来のエレベータのかご室の天井構造にあっては、かご室の天井部の上面にはフラット化用部材を別途取り付けた二重構造であったため、オーバーヘッド寸法がアップする要因となっていた。また、かご室重量が重くなっているため、釣合おもりの追加手配や巻上機の適用の１ランクアップ等、昇降路機器への影響がある。また、特許文献１記載のものは、天蓋の下面に補強部材の素材となる形鋼などを溶接しているため、かご上面の突出体はなくなるが、形鋼自体が比較的重量物であるので、かご室の軽量化や天井構造の簡素化の妨げになっていた。
【０００５】
この発明は、上述のような課題を解決するためになされたもので、その目的は、かご室天井部の二重構造を不要とし、天井構造の簡素化によりかご室の軽量化を図ることができるエレベータのかご室を提供するものである。
また、かご室の天井板の外側上面がフラット化されたエレベータのかご室を提供するものである。
【０００６】
【課題を解決するための手段】
この発明に係るエレベータのかご室は、かご室側壁、かご室上面を覆う天井板及びかご室の床面となる床板から構成されたエレベータのかご室において、外側上面をフラット化された平坦面となした天井板と、この天井板の内側下面に設けられ山部上面を固着された波形板からなる補強部材と、この補強部材の谷部底面に多数形成された照明器具取付用穴と、この照明器具取付用穴を利用して天井板の下方に取り付けられた照明器具とを備えたものである。
【０００７】
【発明の実施の形態】
実施の形態１．
図１はこの発明の実施の形態１におけるエレベータのかご室の天井構造を示す正面断面図、図２はエレベータのかご室の天井構造を示す平面図である。図において、エレベータのかご室は、かご室の側壁１と、かご室の上面を覆う天井板２と、かご室の床面となる床板（図示せず）とから構成されており、天井板２の外側上面はフラット化された平坦面となっている。上記かご室の天井板２の内側下面には、剛性アップのため凹凸断面を呈し山部と谷部を有する軽量の波形板（コルゲート板）からなる補強部材３が、その山部上面を接着剤、ＰＯＰリベット、両面接着テープ等の簡易な接合手段により固着されている。この補強部材３の谷部底面には、ほぼ等間隔に照明器具取付用穴４が形成されており、この照明器具取付用穴４を利用して複数個の照明器具５が天井板２の下方に取り付け配置されている。上記補強部材３の山部と谷部の高さ寸法は出来るだけ低くなるように抑えられている。上記天井板２の下面の周縁部には枠板６が取り付けられ、複数個の照明器具５が収納された照明室７をかご室内上部に形成している。また、上記枠板６の下端部には上記照明室７の下面を覆うとともに光を透過するアクリル板等からなる透光板８が設けられている。
【０００８】
この発明の実施の形態１によれば、オーバーヘッド寸法アップの要因となっていたかご室天井部の二重構造が不要となるので、天井構造の簡素化によりかご室の軽量化を図ることができる。これにより、かご室重量が軽くなるため、釣合おもりの軽減や巻上機の適用サイズダウン等が可能となり、昇降路機器への影響が軽減される。また、昇降路内機器の据付、保守作業を行う際、かご室の天井板の外側上面がフラット化されていることにより、作業が容易に実施でき、かご上作業時の安全性を確保することができる。また、照明器具設置時、補強部材の山部と谷部の高さ寸法が出来るだけ低く抑えられているため、照明器具点灯時の照明ムラの発生を軽減することができる。また、照明器具設置時、補強部材の谷部底面に等間隔に設けた照明器具取付用穴を利用して設置することにより、照明器具を容易に設置することができ、図面作成時の設計負荷及び工作不具合の改善にもなる。
【０００９】
【発明の効果】
この発明は以上説明したように、かご室側壁、かご室上面を覆う天井板及びかご室の床面となる床板から構成されたエレベータのかご室において、外側上面をフラット化された平坦面となした天井板と、この天井板の内側下面に設けられ山部上面を固着された波形板からなる補強部材と、この補強部材の谷部底面に多数形成された照明器具取付用穴と、この照明器具取付用穴を利用して天井板の下方に取り付けられた照明器具とを備えたので、天井構造の簡素化によりかご室の軽量化を図ることができる。また、かご室重量が軽くなるため、釣合おもりの軽減や巻上機の適用サイズダウン等が可能となり、昇降路機器への影響が軽減される。また、昇降路内機器の据付、保守作業を行う際、かご室の天井板の外側上面がフラット化されているので、作業が容易に実施でき、かご上作業時の安全性を確保することができる。
【図面の簡単な説明】
【図１】この発明の実施の形態１におけるエレベータのかご室の天井構造を示す正面断面図である。
【図２】この発明の実施の形態１におけるエレベータのかご室の天井構造を示す平面図である。
【図３】従来のエレベータのかご室の天井構造を示す正面断面図である。
【符号の説明】
１  かご室の側壁
２  かご室の天井板
３  補強部材
４  照明器具取付用穴
５  照明器具
６  枠板
７  照明室
８  透光板
【図１】
2004359381.tif 000003
【図２】
2004359381.tif 000004
【図３】
2004359381.tif 000005